(57)【要約】【課題】バンク開口の外周部と中心部とでの発光色の差の低減。【解決手段】各画素に設けられている下部電極６と、下部電極６の外周を覆うように形成され、前記下部電極６の一部が露出しているバンク開口ＡＰを有しているバンク層１０と、発光層を含み、バンク開口ＡＰに形成されている部分を有している有機層１２と、有機層１２を覆っている第１のバリア層１８と、第１のバリア層１８を覆っている第２のバリア層２２と、第１のバリア層１８と第２のバリア層２２との間のこれらとは異なる材料からなる層であって且つバンク開口ＡＰの縁に形成される中間層２０と、画素ごとに、下部電極６の下に設けられる光反射膜８と、を含み、画素を平面視したときに中間層２０が存在する第１領域Ｐは、中間層２０より上又は下において、第１領域Ｐの内側の第２領域Ｃとは異なる層構造を有している。【選択図】図２
2016018849.tif 000002
【特許請求の範囲】
【請求項１】
各画素に設けられている下部電極と、
前記下部電極の外周を覆うように形成され、前記下部電極の一部が露出しているバンク開口を有しているバンク層と、
発光層を含み、前記バンク開口に形成されている部分を有している有機層と、
前記有機層を覆っている第１のバリア層と、
前記第１のバリア層を覆っている第２のバリア層と、
前記第１のバリア層と前記第２のバリア層との間のこれらとは異なる材料からなる層であって、前記バンク開口の縁に形成される中間層と、
画素ごとに、前記下部電極の下に設けられる光反射膜と、
を含み、
前記画素を平面視したときに前記中間層が存在する第１領域は、前記中間層より上又は下において、前記第１領域の内側の第２領域とは異なる層構造を有している、
有機ＥＬ表示装置。
【請求項２】
請求項１に記載の有機ＥＬ表示装置において、
前記中間層より上又は下において、前記第１領域と前記第２領域とのうちの一方が、他方にない層を有している、
有機ＥＬ表示装置。
【請求項３】
請求項１又は２に記載の有機ＥＬ表示装置において、
前記第１領域における前記有機層から前記光反射膜までの距離が、前記第２領域における前記有機層から前記光反射膜までの距離と異なっている、
有機ＥＬ表示装置。
【請求項４】
請求項３に記載の有機ＥＬ表示装置において、
前記第１領域と前記第２領域とで、前記有機層と前記光反射膜との間に存在する層の数が異なる、
有機ＥＬ表示装置。
【請求項５】
請求項３又は４に記載の有機ＥＬ表示装置において、
画素ごとに、前記光反射膜として、第１光反射膜と第２光反射膜とが設けられ、
前記下部電極の下に、導電膜をさらに備え、
前記第１光反射膜、前記導電膜、前記第２光反射膜、前記下部電極、及び前記有機層はこの順序で形成されており、
前記第１領域と前記第２領域とのうちの一方が前記第２光反射膜を有し、他方が前記第１光反射膜を有し、前記第２光反射膜を有しない、
有機ＥＬ表示装置。
【請求項６】
請求項３又は４に記載の有機ＥＬ表示装置において、
前記下部電極の上に、導電膜をさらに備え、
前記光反射膜、前記下部電極、前記導電膜、及び前記有機層はこの順序で形成されており、
前記第１領域と前記第２領域とのうちの一方は前記下部電極及び前記導電膜の双方を有しているが、他方は前記下部電極を有し前記導電膜を有していない、
有機ＥＬ表示装置。
【発明の詳細な説明】
【技術分野】
【０００１】
本発明は、有機ＥＬ表示装置に関する。
【背景技術】
【０００２】
有機ＥＬ（ElectroLuminescence）表示装置は、各画素に配置されている下部電極と、画素を区画するバンクとを有している。バンクには開口が形成され、その開口の内側で下部電極が露出している。発光層を含む有機層はバンク及び下部電極を覆い、バンク開口の内側で下部電極に接している。したがって、バンク開口から光が出る。有機層は水分によって劣化し易いので、有機ＥＬ表示装置には、有機層を覆い、これに水分が浸透するのを防止するバリア構造が設けられている。下記特許文献１乃至３では、複数の層からなるバリア構造が開示されている。
【０００３】
また、有機ＥＬ表示装置には、発光層から出る光のマイクロキャビティ効果を利用して、光の取り出し効率を向上するものがある。すなわち、発光層から出る光を表示装置に形成されている複数の層の間で反射させて共振させるものがある。
【先行技術文献】
【特許文献】
【０００４】
【特許文献１】特開２００７−１８４２５１号
【特許文献２】特許第４３０３５９１号
【特許文献３】特開２０１０−２７２２７０号
【発明の概要】
【発明が解決しようとする課題】
【０００５】
有機層を保護するためのバリア構造に異物が原因でピンホールが形成される場合がある。ピンホールが形成されると、そこから水分が入り、有機層を劣化させる。本願の発明者は、無機材料で形成される複数のバリア層と有機材料とで形成されるバリア構造を検討している。第１のバリア層が発光層を含む上述の有機層を覆っている。有機材料は第１のバリア層上に分散して存在している（有機材料が形成している部分を「中間層」と称する）。第１のバリア層上に異物が存在している場合、その異物を取り囲むように中間層が形成される。第２のバリア層は第１のバリア層と中間層とを覆っている。この構造によると、異物の周りの段差が中間層によって軽減される。そのため、第２のバリア層を薄くしても、第２のバリア層が異物を完全に覆うことができる。その結果、有機層への水分の浸透を効果的に抑えることができる。中間層は、例えば、次のようにして形成される。有機材料を含む溶剤を第１のバリア層上に噴霧する。噴霧された溶剤は表面張力により異物の周りに凝集する。凝集した溶剤が固化すると、中間層となる。
【０００６】
ところが、このような中間層の形成過程では、異物の周りだけで無く、バンク開口の外周部（バンクの側面と下部電極の表面との間の角）にも中間層が形成されていた。このため、バンク開口の外周部と中央部とでは光学距離が変わってしまい、これがマイクロキャビティ効果に影響し、バンク開口の外周部と中央部とでは発光色に差が出るという問題あった。バンク開口の外周部を覆うようにブラックマトリクスを形成すると、発光色の差は見えなくなるものの、画素の開口率が低下するという問題が生じる。
【０００７】
本発明の目的は、バンク開口の外周部と中心部とでの発光色の差を低減できる有機ＥＬ表示装置を提供することにある。
【課題を解決するための手段】
【０００８】
（１）本発明に係る有機ＥＬ表示装置は、各画素に設けられている下部電極と、前記下部電極の外周を覆うように形成され、前記下部電極の一部が露出しているバンク開口を有しているバンク層と、発光層を含み、前記バンク開口に形成されている部分を有している有機層と、前記有機層を覆っている第１のバリア層と、前記第１のバリア層を覆っている第２のバリア層と、前記第１のバリア層と前記第２のバリア層との間のこれらとは異なる材料からなる層であって、前記バンク開口の縁に形成される中間層と、画素ごとに、前記下部電極の下に設けられる光反射膜と、を含み、前記画素を平面視したときに前記中間層が存在する第１領域は、前記中間層より上又は下において、前記第１領域の内側の第２領域とは異なる層構造を有している。
【０００９】
（２）（１）に記載の有機ＥＬ表示装置において、前記中間層より上又は下において、前記第１領域と前記第２領域とのうちの一方が、他方にない層を有している。
【００１０】
（３）（１）又は（２）に記載の有機ＥＬ表示装置において、前記第１領域における前記有機層から前記光反射膜までの距離が、前記第２領域における前記有機層から前記光反射膜までの距離と異なっている。
【００１１】
（４）（３）に記載の有機ＥＬ表示装置において、前記第１領域と前記第２領域とで、前記有機層と前記光反射膜との間に存在する層の数が異なっている。
【００１２】
（５）（３）又は（４）に記載の有機ＥＬ表示装置において、画素ごとに、前記光反射膜として、第１光反射膜と第２光反射膜とが設けられ、前記下部電極の下に、導電膜をさらに備え、前記第１光反射膜、前記導電膜、前記第２光反射膜、前記下部電極、及び前記有機層はこの順序で形成されており、前記第１領域と前記第２領域とのうちの一方が前記第２光反射膜を有し、他方が前記第１光反射膜を有し、前記第２光反射膜を有しないことを特徴としている。
【００１３】
（６）（３）又は（４）に記載の有機ＥＬ表示装置において、前記下部電極の上に、導電膜をさらに備え、前記光反射膜、前記下部電極、前記導電膜、及び前記有機層はこの順序で形成されており、前記第１領域と前記第２領域とのうちの一方は前記下部電極及び前記導電膜の双方を有しているが、他方は前記下部電極を有し前記導電膜を有していないことを特徴としている。
【図面の簡単な説明】
【００１４】
【図１】本発明に係る有機ＥＬ表示装置の平面図である。
【図２】図１に示すＩＩ−ＩＩ線での断面図である。
【図３】反射膜付近の拡大図である。
【図４】反射膜と有機層との間の距離と、出力光の光学特性と、の関係を示す図である。
【図５】変形例におけるＩＩ-ＩＩ線での断面図を示す図である。
【図６】変形例における反射膜付近の拡大図である。
【発明を実施するための形態】
【００１５】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１６】
図１は、本発明に係る有機ＥＬ（ElectroLuminessence）表示装置２の平面図である。有機ＥＬ表示装置２は、複数の画素を備えており、図１は、一つの画素の平面図の例を示している。同図に示すように、有機ＥＬ表示装置２には、画素ごとに、下部電極６が備えられる。下部電極６は、例えばＩＴＯ(Indium Tin Oxide)からなる導電膜である。また、有機ＥＬ表示装置２には、複数の画素を区画するバンク層１０が備えられる。ハッチングされている領域がバンク層１０を示している。バンク層１０は、下部電極６の外周を覆うように形成されており、下部電極６の外周縁に重なっている。バンク層１０には、画素ごとにバンク開口ＡＰが形成されており、下部電極６は、その一部がバンク開口ＡＰにおいて露出している。また、バンク開口ＡＰの縁に後述する中間層２０が形成される。なお、符号Ｐは、画素を平面視したときに中間層２０が存在する領域（以下、縁領域Ｐと表記する）を指し示し、符号Ｃは、画素を平面視したときに縁領域Ｐの内側にある領域（以下、内部領域Ｃと表記）を指し示している。また、有機ＥＬ表示装置２には、画素ごとに、コンタクトホールＣＨが設けられている。コンタクトホールＣＨは、バンク層１０により覆われる。
【００１７】
なお、バンク開口ＡＰの形状は、図１に示すものに限らない。また、画素の並び方はどのようなものであってもよい。例えば、赤色画素、緑色画素、青色画素、及び白色画素が所定順序で時計回りに並んでいても良いし、横一列に並んでいてもよい。
【００１８】
図２は、有機ＥＬ表示装置２の他の構成要素について説明するための図であり、図１に示すＩＩ−ＩＩ線における断面図である。図２は、一つの画素の断面図でもある。
【００１９】
図２に示すように、有機ＥＬ表示装置２には、有機層１２が備えられる。有機層１２は有機エレクトロルミネッセンス現象により発光する発光層を含み、バンク開口ＡＰに形成されている部分を有する。具体的には、有機層１２は、バンク層１０及び下部電極６に連続的に載るように設けられている。よって、有機層１２は、バンク開口ＡＰにおいて下部電極６に接している。また、有機ＥＬ表示装置２には、上部電極１４が設けられる。上部電極１４は、有機層１２に連続的に載るように設けられている。下部電極６、有機層１２、及び上部電極１４により、有機発光ダイオードが形成される。下部電極６及び上部電極１４に電圧をかけることにより各々から正孔と電子を有機層１２に注入し、注入された正孔と電子が発光層で結合して光を発する。なお、バンク層１０により、下部電極６と上部電極１４とのショートが防止される。
【００２０】
図２に示すように、上部電極１４は、バリア層１６により封止される。すなわち、上部電極１４に連続的に載るようにバリア層１６が形成されている。バリア層１６により、有機発光ダイオード（特に有機層１２）を水分から保護する。バリア層１６の上方には図示しないカラーフィルタ基板が備えられ、バリア層１６とカラーフィルタ基板との間に充填材２４が充填される。
【００２１】
バリア層１６は、第１無機バリア層１８、第２無機バリア層２２、及びこれら２つの無機バリア層との間の中間層２０、を含む。第１無機バリア層１８は、有機発光ダイオードを水分から保護するために設けられ、図２に示すように、上部電極１４に連続的に載っており、有機層１２を覆っている。第１無機バリア層１８は、水分透過を妨げる無機材料（例えば、ＳｉＮ）によって形成される。第１無機バリア層１８は、例えば、プラズマＣＶＤ法で無機材料を上部電極１４に蒸着することにより形成される。なお、異物が混入した場合、第１無機バリア層１８には、ピンポールが形成される。
【００２２】
ピンホールは、外部から水分が侵入する原因となる。そこで、このピンホールを埋めるために、中間層２０が設けられる。また、異物を完全に覆うために、第２無機バリア層２２が設けられる。中間層２０は、第１無機バリア層１８及び第２無機バリア層２２とは異なる材料（例えば、アクリル樹脂、ポリイミド樹脂、エポキシ樹脂などの有機材料）によって形成され、バンク開口ＡＰの縁やピンホールに形成される。図２では、異物が混入していないので、バンク開口ＡＰの縁のみに中間層２０が形成されている。第２無機バリア層２２は、第１無機バリア層１８と同様、水分の透過を妨げる無機材料（例えば、ＳｉＮ）によって形成され、第１無機バリア層１８及び中間層２０を覆うように設けられる。
【００２３】
中間層２０は、例えば、中間層２０を構成する有機材料と重合開始剤とを混合した溶剤を真空環境下において第１無機バリア層１８に霧状噴霧することで形成される。具体的には、溶剤を一定量ずつ断続的に霧状噴霧する。付着した有機材料は液体としての挙動を示すため、平坦でない場所では表面張力により凝集しやすく、平坦な場所では凝集しにくい。そのため、有機材料は、バンク開口ＡＰの縁及びピンホールに溜まり、それ以外の場所には溜まらないか溜まってもごく少量しか溜まらず、中間層２０がバンク開口ＡＰの縁及びピンホール付近に設けられることになる。平坦な場所に有機材料の薄膜が形成されてしまう場合には、エッチングによりこれを除去することが望ましい。また、第２無機バリア層２２は、例えば、プラズマＣＶＤ法で無機材料を蒸着することにより形成される。異物は、ピンホールに形成された中間層２０により取り囲まれる。そのため、第２無機バリア層２２は、異物によって破断せず、異物を完全に覆うことができる。
【００２４】
また、図２に示すように、下部電極６の下側には、平坦化膜４が設けられる。平坦化漠４は図示していないＴＦＴ（Thin Film Transistor）基板に載っている。平坦化膜４には画素ごとに図１に示すコンタクトホールＣＨ（図２において不図示）が形成されており、下部電極６は、コンタクトホールＣＨを介して、ＴＦＴ基板上のＴＦＴ素子に接続される。
【００２５】
また、下部電極６の下側には、反射膜８が設けられる。反射膜８は、画素ごとに設けられる。図２に示す例では、画素ごとに、反射膜８として、縁領域Ｐにおける光を反射する反射膜８ａと、内部領域Ｃにおける光を反射する反射膜８ｂと、が設けられている。図２に示す例では、反射膜８ａは、縁領域Ｐと内部領域Ｃとの両方に重なり、反射膜８ｂは、内部領域Ｃにのみに重なる。つまり、内部領域Ｃは反射膜８ｂを有しているが、縁領域Ｐは反射膜８ａのみを有し反射膜８ｂを有していない。そのため、内部領域Ｃにおける光は、縁領域Ｐにない反射膜８ｂにより反射され、縁領域Ｐにおける光は反射膜８ａにより反射されるようになっている。なお、反射膜８ａは、縁領域Ｐにのみ重なるよう形成されてもよい。
【００２６】
また、下部電極６の下側には、反射膜８ａと反射膜８ｂとの間に、ＩＴＯからなる導電膜７が形成されている。導電膜７には、縁領域Ｐの外側において、下部電極６が載っている。なお、下部電極６がＴＦＴ素子と電気的に接続されるならば、導電膜７に代えて導電性を有しない透明な層が形成されてもよい。
【００２７】
図３は、図２の反射膜８付近の拡大図である。符号Ｌ１は、内部領域Ｃにおける有機層１２と反射膜８との間の距離を示し、符号Ｌ２は、縁領域Ｐにおける有機層１２と反射膜８との間の距離を示している。図２に示す層構造では、内部領域Ｃにおける光は、縁領域Ｐにない反射膜８ｂにより反射されるので、反射膜８ｂと有機層１２との間の距離（すなわち、下部電極６の膜厚）が距離Ｌ１に相当する。また、縁領域Ｐにおける光は反射膜８ａにより反射されるので、反射膜８ａと有機層１２との間の距離（下部電極６の膜厚と導電膜７の膜厚との合計）が距離Ｌ２に相当する。図２、３に示す例では、内部領域Ｃにおける反射膜８（すなわち、反射膜８ｂ）と有機層１２との間に存在する層の数（下部電極６のみ）と、縁領域Ｐにおける反射膜８（すなわち、反射膜８ａ）と有機層１２との間に存在する層の数（下部電極６と導電膜７）と、が異なっており、距離Ｌ１と距離Ｌ２とが異なっている。なお、図２に示す例では、距離Ｌ１が「Ａ」に設定され、距離Ｌ２が「Ｂ」に設定されている。
【００２８】
ところで、マイクロキャビティ効果は、上部電極１４の界面における反射の影響だけでなく、バリア層１６の界面における反射の影響も受ける。そのため、縁領域Ｐには内部領域Ｃにない中間層２０が存在するので、同じ条件下では、縁領域Ｐと内部領域Ｃとで、マイクロキャビティ効果による出力光の光学特性（発光強度、色度）が均一とはならなくなってしまう。
【００２９】
例えば、図４に示すように、内部領域Ｃと縁領域Ｐとで、反射膜８と有機層１２との間の距離Ｌを同じにすると、出力光の光学特性が均一とはならなくなってしまう。図４は、距離Ｌと出力光の光学特性と、の関係を示す図である。図４の（Ａ）は、距離Ｌが横軸に設定され発光強度が縦軸に設定されたグラフであり、距離Ｌと発光強度との関係を示す。破線は、内部領域Ｃにおける、距離Ｌと発光強度との関係を示し、実線は、縁領域Ｐにおける、距離Ｌと発光強度との関係を示している。同図よれば、内部領域Ｃと縁領域Ｐとで距離Ｌを同じにすると、双方の領域で発光強度が異なることとなってしまう。例えば、内部領域Ｃでは距離Ｌが「Ａ」のときに発光強度がピークとなるが、縁領域Ｐでは距離Ｌが「Ｂ」のときに発光強度がピークとなっており、内部領域Ｃと縁領域Ｐとで、発光強度がピークになるときの距離Ｌが異なっている。
【００３０】
また、図４の（Ｂ）は、距離Ｌが横軸に設定され出力光の色度のＸ成分が縦軸に設定されたグラフであり、距離Ｌと出力光の色度のＸ成分との関係を示す。破線は、内部領域Ｃにおける、距離Ｌと色度のＸ成分との関係を示し、実線は、縁領域Ｐにおける、距離Ｌと色度のＸ成分との関係を示している。また、図４の（Ｃ）は、距離Ｌが横軸に設定され出力光の色度のＹ成分が縦軸に設定されたグラフであり、距離Ｌと出力光の色度のＹ成分との関係を示す。破線は、内部領域Ｃにおける、距離Ｌと色度のＹ成分との関係を示し、実線は、縁領域Ｐにおける、距離Ｌと色度のＹ成分との関係を示す。両図に示すように、内部領域Ｃと縁領域Ｐとで距離Ｌを同じにすると、双方の領域で色度（Ｘ成分及びＹ成分）が異なることとなってしまう。例えば、内部領域Ｃにおける距離Ｌを「Ａ」に設定したとき、縁領域Ｐにおける距離Ｌを「Ｂ」に設定しなければ、内部領域Ｃと縁領域Ｐとで色度を均一にできなくなる。
【００３１】
そこで、この有機ＥＬ表示装置２では、縁領域Ｐと内部領域Ｃとで出力光の光学特性が同じになるように、中間層２０の下側における層構造を、縁領域Ｐと内部領域Ｃとで異ならせている。具体的には、内部領域Ｃにおける光を反射する反射膜８（図２、３に示す例では反射膜８ｂ）と、縁領域Ｐにおける光を反射膜８（図２、３に示す例では、反射膜８ａ）と、を別個に設け且つ、一方の反射膜８と有機層１２との間に存在する層の数と、他方の反射膜８と有機層１２との間に存在する層の数と、を異ならせることにより、Ｌ１とＬ２とを異ならせている。図２、３に示す例では、Ｌ１よりＬ２を長くしている。よって、縁領域Ｐと内部領域Ｃとでの光学特性（発光色及び発光強度）の差の低減を図ることができる。特に、図２に示す例では、Ｌ１が「Ａ」に設定され且つＬ２が「Ｂ」に設定されているので、図４からわかるように、高い精度で、縁領域Ｐと内部領域Ｃとでの光学特性を均一にできる。
【００３２】
なお、中間層２０を構成する材料（中間層２０における光の屈折率）によってはＬ１をＬ２より長くしてもよい。例えば、図２において、反射膜８ｂを縁領域Ｐにのみ設け、反射膜８ａを内部領域Ｃのみに設けてもよい。この場合、縁領域Ｐは反射膜８ｂを有しているが内部領域Ｃは反射膜８ａのみを有し反射膜８ｂを有しない。また、図２に示す例とは逆に、反射膜８ａと有機層１２との間の距離がＬ１に相当し、反射膜８ｂと有機層１２との間の距離がＬ２に相当することとなる。従って、反射膜８ｂは反射膜８ａより上に設けられるので、Ｌ１をＬ２より長くすることができる。
【００３３】
ところで、下部電極６の下に反射膜８を一つだけ設けるようにしても、Ｌ１とＬ２とを異ならせることは可能である。図５は、この例（以下、変形例と表記する）における画素の断面図を示す図である。図６は、図５の反射膜８付近の拡大図である。変形例では、画素ごとに反射膜８が一つのみ設けられ、図５に示すように、下部電極６の下に反射膜８ａのみが設けられる。しかも、図２とは異なり、反射膜８ａは、内部領域Ｃだけでなく縁領域Ｐにも重なっている。そのため、縁領域Ｐにおける光及び内部領域Ｃにおける光の双方とも反射膜８ａにより反射される。また、図６に示すように、内部領域Ｃにおける反射膜８ａと有機層１２との間の距離がＬ１に相当し、縁領域Ｐにおける反射膜８ａと有機層１２との間の距離がＬ２に相当することとなる。
【００３４】
また、変形例では、反射膜８ａの上に、下部電極６及び導電膜７がこの順で形成され、且つ、導電膜７については、縁領域Ｐにのみ形成される。従って、縁領域Ｐは、反射膜８ａと有機層１２との間に下部電極６及び導電膜７を有するが、内部領域Ｃは、反射膜８ａと有機層１２との間に下部電極６のみを有し導電膜７を有しない。よって、Ｌ１よりＬ２を長くすることができ、変形例においても、縁領域Ｐと内部領域Ｃとでの光学特性の差の低減を図ることができる。なお、変形例においても、中間層２０を構成する材料によって、Ｌ１をＬ２より長くしてもよい。すなわち、図５において、導電膜７を内部領域Ｃのみに形成してもよい。こうすれば、内部領域Ｃは、反射膜８ａと有機層１２との間に下部電極６及び導電膜７を有するが、縁領域Ｐは、反射膜８ａと有機層１２との間に下部電極６のみを有し導電膜７を有しないので、Ｌ１をＬ２より長くすることができる。
【００３５】
なお、変形例において導電膜７を省略してもＬ１とＬ２とを異ならせることは可能である。例えば、下部電極６を形成した後、内部領域Ｃ及び縁領域Ｐの一方のみにおいて下部電極６をハーフエッチングすればよい。
【００３６】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【００３７】
例えば、以上で説明した実施形態では、縁領域Ｐの層構造と内部領域Ｃの層構造とを中間層２０の下側で異ならせることで、Ｌ１とＬ２とを異ならせ、縁領域Ｐと内部領域Ｃとでの出力光の光学特性の差の低減を図っていた。具体的には、中間層２０の下側において、縁領域Ｐと内部領域Ｃとの一方に、他方にない層を備えさせることにより、Ｌ１とＬ２とを異ならせていた。例えば、図２に示す例では、内部領域Ｃに、縁領域Ｐにはない層である反射膜８ｂを備えさせていた。また、例えば、図５に示す例では、縁領域Ｐに、内部領域Ｃにはない層である導電膜７を備えさせていた。
【００３８】
しかし、Ｌ１とＬ２とを異ならせずとも、縁領域Ｐと内部領域Ｃとでの光学特性の差の低減を図ることは可能である。すなわち、中間層２０がマイクロキャビティ効果に与える影響を相殺するような層を、中間層２０の上側又は下側において（例えば、無機バリア層２２上）、縁領域Ｐ及び内部領域Ｃの一方にのみ設けることで、縁領域Ｐの層構造と内部領域Ｃの層構造とを異ならせてもよい。
【符号の説明】
【００３９】
２  有機ＥＬ表示装置、４  平坦化膜、６  下部電極、７  導電膜、８，８ａ，８ｂ  反射膜、１０  バンク層、１２  有機層、１４  上部電極、１６  バリア層、１８  第１無機バリア層、２０  中間層、２２  第２無機バリア層、２４  充填材、ＡＰ  バンク開口、Ｃ  内部領域、ＣＨ  コンタクトホール、Ｐ  縁領域。
【図１】
2016018849.tif 000003
【図２】
2016018849.tif 000004
【図３】
2016018849.tif 000005
【図４】
2016018849.tif 000006
【図５】
2016018849.tif 000007
【図６】
2016018849.tif 000008